(57)【要約】【課題】防犯ブザーの操作子の操作を容易に且つ確実に行うことが可能な児童の手が容易に届く腰回り近辺で、且つ児童の身体に密着した状態で装着でき、児童が煩わしさや違和感を感じずに防犯ブザーを携行し、操作できる防犯装置を提供する。【解決手段】操作子６，７の操作で警報音を発報する防犯ブザー３を、身体にベルト１４で装着可能なホルスター形状を有するケース１０に内装する。ケース１０における拳銃の引き金位置に、操作子６を外部から操作するための操作用孔１５ｄを設けて、操作子６を操作用孔１５ｄの長手方向に沿って操作可能とする。操作用孔１５ｄの内側に収容した操作子６を、拳銃の引き金に対応するトリガー部６ｂを有する形態とする。【選択図】図１
0003127280.tif 000002
【実用新案登録請求の範囲】
【請求項１】
少なくとも１つ以上の操作子を備え、該操作子の操作によって警報音を発報する防犯ブザーを、身体にベルト装着可能なホルスター形状を有するケースに内装し、該ホルスター形状のケースにおける拳銃の引き金位置に、上記操作子を外部から操作するための操作用孔を設けて、該操作子を該操作用孔の長手方向に沿って操作可能に構成するとともに、上記ケースにおける操作用孔の内側に収容した操作子を、拳銃の引き金に対応するところの手指をかけるトリガー部を有する形態とした、
ことを特徴とする防犯装置。
【請求項２】
上記ホルスター形状のケースを、一側をファスナーによって開閉自在とするとともに、その上部開口部を上方に延設したフラップにより開閉自在に構成した、
ことを特徴とする請求項１に記載の防犯装置。
【請求項３】
少なくとも１つ以上の操作子を備え、該操作子の操作によって警報音を発報する防犯ブザーを、携行用小物入れ形状を有するケースに内装し、該ケースの外面側における防犯ブザーの収容位置に、上記操作子を外部から操作するための操作用孔を設けて、該操作子を該操作用孔の長手方向に沿って操作可能に構成するとともに、上記ケースにおける操作用孔の内側に収容した操作子を、手指をかけるトリガー部を有する形態とした、
ことを特徴とする付防犯装置。
【請求項４】
上記防犯ブザーを、ケースの内面に付設したポケット内に収容した、
ことを特徴とする請求項１乃至３のいずれかに記載の防犯装置。
【請求項５】
上記ケースにおける操作用孔の内側に収容した操作子を、該操作用孔における操作方向の両側に沿って設けた一対のガイド部材でガイドさせた、
ことを特徴とする請求項１乃至４のいずれかに記載の防犯装置。
【請求項６】
上記操作子のガイド部材を、断面略コ字状のレール状部材の開放部側を相対峙させることにより構成し、上記操作子の操作方向に沿う上記操作用孔の両側に配置されるように該操作用孔の内側に付設した、
ことを特徴とする請求項５に記載の防犯装置。
【請求項７】
上記防犯ブザーに、道路に沿って設置した防犯警報器を作動させるための警報信号を発信する発信器としての機能部分を付設した、
ことを特徴とする請求項１乃至６のいずれかに記載の防犯装置。
【考案の詳細な説明】
【技術分野】
【０００１】
本考案は、操作子の操作によって警報音を発報する防犯ブザーを、外部から操作可能にケースに内装した防犯装置に関するものである。
【背景技術】
【０００２】
近年、学校の登下校時に限らず、帰宅後の外出時に児童を狙う事件が数多く発生しており、中には幼い命が犠牲になる痛ましい事件も少なくない。
而して、特に小学校に通学している児童は、体格も小柄で体力的に到底大人に太刀打ちできるものではなく、不審者に付きまとわれたり、連れ去られそうになったりした場合などに、その危急の事態を周囲に知らせて救助を求める手段が必要である。
【０００３】
上記のようなニーズに応えるため、近年、多くの小学校が登下校時に児童に防犯ブザーを持たせるようにしているが、学校から配布される防犯ブザーは、学校の登下校時にランドセルや通学用の手提げ袋に取り付けることを想定したものが主流で、下校後に外出する場合にも常に携行することに配慮したものではないため、ランドセルや手提げ袋に取り付けたまま登下校時にのみ使用され、学校から下校した後の外出時には使用されない場合がほとんどであり、仮に下校後の外出時にランドセルや手提げ袋から取り外して携行した場合でも、身体の周りに無造作にぶらつかせたりするため誤作動の原因となったり、逆に誤作動を防止するためにポケットの中や別途用意したケースや小物入れ等に収納した場合には、防犯ブザーを操作するための操作子がそのケースや小物入れ等の中に隠れてしまい、咄嗟のときに防犯ブザーを操作することができないなど、防犯ブザー自体の操作性が損なわれてしまう場合も考えられる。
このように、防犯ブザーの携行性や操作性に対する対策も急務である。
【考案の開示】
【考案が解決しようとする課題】
【０００４】
如上に鑑みて、本考案の技術的課題は、児童が危急の事態に遭遇した場合において、周囲の人々に迅速且つ確実に危急の事態を知らせることができる防犯装置を、防犯ブザーの操作子の操作をより容易に且つ確実に行うことが可能な児童の手が容易に届く腰回り近辺で、且つ児童の身体に密着した状態で装着することができ、しかも、児童が煩わしさや違和感を感じることなく防犯ブザーを携行し、操作することができる防犯装置を提供することにある。
【課題を解決するための手段】
【０００５】
上記課題を解決するための本考案の第１の防犯装置は、少なくとも１つ以上の操作子を備え、該操作子の操作によって警報音を発報する防犯ブザーを、身体にベルト装着可能なホルスター形状を有するケースに内装し、該ホルスター形状のケースにおける拳銃の引き金位置に、上記操作子を外部から操作するための操作用孔を設けて、該操作子を該操作用孔の長手方向に沿って操作可能に構成するとともに、上記ケースにおける操作用孔の内側に収容した操作子を、拳銃の引き金に対応するところの手指をかけるトリガー部を有する形態としたことを特徴とするものである。
また、本考案の第２の防犯装置は、少なくとも１つ以上の操作子を備え、該操作子の操作によって警報音を発報する防犯ブザーを、携行用小物入れ形状を有するケースに内装し、該ケースの外面側における防犯ブザーの収容位置に、上記操作子を外部から操作するための操作用孔を設けて、該操作子を該操作用孔の長手方向に沿って操作可能に構成するとともに、上記ケースにおける操作用孔の内側に収容した操作子を、手指をかけるトリガー部を有する形態としたことを特徴としている。
【０００６】
本考案の第１の防犯装置の好ましい実施形態においては、上記ホルスター形状のケースを、一側をファスナーによって開閉自在とするとともに、その上部開口部を上方に延設したフラップにより開閉自在に構成することができる。
また、本考案の第１及び第２の防犯装置の好ましい実施形態においては、上記防犯ブザーが、ケースの内面に付設したポケット内に収容される。
さらに、本考案の第１及び第２の防犯装置の他の好ましい実施形態においては、上記ケースにおける操作用孔の内側に収容した操作子を、該操作用孔における操作方向の両側に沿って設けた一対のガイド部材でガイドさせるのが有効であり、この場合、上記操作子のガイド部材を、断面略コ字状のレール状部材の開放部側を相対峙させることにより構成し、上記ケースのファスナーを閉じたときに、上記操作子の操作方向に沿う上記操作用孔の両側に配置されるように該操作用孔の内側に付設した構成とするのが好適である。
本発明の第１及び第２の防犯装置の好ましい実施形態においては、上記防犯ブザーに、道路に沿って設置した防犯警報器を作動させるための警報信号を発信する発信器としての機能部分を付設するのが有効である。
【考案の効果】
【０００７】
以上に詳述した本考案に係る防犯装置は、身体にベルト装着可能なホルスター形状を有するケースに防犯ブザーを内装した構成とし、あるいは携行用小物入れ形状を有するケースに防犯ブザーを内装した構成とすることにより、当該防犯装置を、該防犯ブザーの操作子の操作をより容易に且つ確実に行うことが可能な児童の手が容易に届く腰回り近辺で、且つ児童の身体に密着した状態で装着することができ、しかも、児童が煩わしさや違和感を感じることなく防犯ブザーを携行し、操作することができる。
そのうえ、上記ホルスター形状のケースにおける拳銃の引き金位置に、上記操作子を外部から操作するための操作用孔を設けて、該操作子を該操作用孔の長手方向に沿って操作可能に構成するとともに、上記ケースにおける操作用孔の内側に収容した操作子を、拳銃の引き金に対応するところの手指をかけるトリガー部を有する形態とし、あるいは携行用小物入れ形状のケースの外面側における防犯ブザーの収容位置に、上記操作子を外部から操作するための操作用孔を設けて、該操作子を該操作用孔の長手方向に沿って操作可能に構成するとともに、上記ケースにおける操作用孔の内側に収容した操作子を、手指をかけるトリガー部を有する形態としているので、操作子の操作をより確実に行うことができ、延いては、防犯ブザーによる警報音の発報によって、危急の事態を周囲の人々に迅速且つ確実に知らせることができる。
【考案を実施するための最良の形態】
【０００８】
本考案に係る防犯装置を実施するための最良の形態を図面に基いて詳細に説明するに、図１〜図４は本考案の第１実施例を示している。この防犯装置２は、警報音を発報する防犯ブザー３を、危急の事態に遭遇したときに、操作子６，７を容易に操作することが可能な状態で上記ケース１０内に取り出し可能に内装して携行することができるように構成している。
【０００９】
上記防犯ブザー３は、操作子６または７の操作によって、該防犯ブザー３のケーシング５に内蔵するブザーを作動させ、周囲に警報音を発報する機能を有するものである。
上記防犯ブザー３の操作子６，７は、ケーシング５における互いに背向する一対の端面に設けられ、それぞれスイッチを形成するピン状の非通電性操作片６ａ，７ａが挿脱自在に挿入されており、それらのいずれかの操作片６ａ，７ａを抜脱することによって、防犯ブザーの警報音を発報するようにしている。
【００１０】
上記防犯ブザー３を内装するためのケース１０は、図１及び図２に示すように、該防犯ブザー３を携行するに際して、児童の身体に密着した状態でベルト１４によって装着可能にするケース本体１５を、拳銃のホルスター形状に形成している。このようなホルスター形状に形成すると、児童の手が容易に届く腰回り近辺で、且つ児童の身体に密着した状態で装着可能である点で有利であり、しかも、児童が激しい運動や動作をした場合でも身体の周りでぶらついたりすることなく、腰回りの近辺で密着した状態で装着することができ、児童に煩わしさを感じさせることなく該防犯ブザー３を携行させることができる。また、拳銃のホルスター形状という児童にとって一種の格好良さを感じさせる体裁とすることで、児童に違和感を感じさせることなく、防犯ブザー３を携行させることができる。
【００１１】
上記ホルスター形状のケース本体１５は、一側をファスナー１５ａによって開閉自在とし、その上部開口部を上方に延設したスナップボタン付きフラップ１５ｂにより開閉自在としたもので、該ケース１５の外側面における拳銃の引き金に対応する位置に、ケース本体１５内に収容した防犯ブザー３の上記操作子６を外部から操作するための操作用孔１５ｄが開設されている。また、ケース本体１５の下部は上記ファスナー１５ａによって閉鎖されない開口部１５ｅとし、防犯ブザー３を該ケース本体１５に内装した際に、該開口部１５ｅから操作子７を外部に露出させた状態で吊下できるようにしている。
【００１２】
上記防犯ブザー３は、上記ケース本体１５の内面に付設したポケット１６内に該防犯ブザー３を収容することにより、該ケース本体１５に固定的に内装されるようにしているが、該ポケット１６の下部には上記操作子７を該ポケット１６から露出させるための孔１６ａが開設され、したがって、防犯ブザー３をポケット１６内に収容しても、上記孔１６ａを介してケース本体１５の下部の開口部１５ｅから操作子７が外部に露出するように構成している。上記防犯ブザー３をケース本体１５に固定的に内装するための手段は、上記ポケット１６に限らず、防犯ブザー３とケース本体１５の内面に付設した面ファスナーで相互に止着するなど、適宜の手段を採用することができる。
【００１３】
一方、上記防犯ブザー３の操作子６は、当該防犯ブザー３をホルスター形状の上記ケース本体１５に内装した際に、該ケース本体１５の操作用孔１５ｄの長手方向に沿って外部から操作可能な位置に配置されるように構成されており、該操作子６自体も、図３に明確に示すように、拳銃の引き金に対応する形態、すなわち手指をかけるトリガー部６ｂを有する操作子６から防犯ブザー３に挿設されるピン状の操作片６ａを突設した構成としている。また、上記トリガー部６ｂを有する操作子６は、ケース本体１５の操作用孔１５ｄにおける操作方向の両側に沿って設けた一対のガイド部材１６ｂでガイドするようにしている。このガイド部材１６ｂは、断面略コ字状のレール状部材の開放部側を相対峙させて形成したもので、図１に示すように、ケース本体１５のファスナー１５ａを閉じたときに上記トリガー部６ｂの操作方向に沿う上記操作用孔１５ｄの両側に配置されるように、上記ケース本体１５における操作用孔１５ｄの内側に付設されている。
したがって、上記防犯ブザー３をケース本体１５に内装した場合には、上記操作子６のトリガー部６ｂが略コ字状のガイド部材１６ｂの開放部内をガイドされる。
【００１４】
このように構成することにより、上記トリガー部６ｂによる操作子６の上記操作用孔１５ｄの長手方向に沿う操作をより確実に行うことができ、延いては、防犯ブザーによる警報音の発報によって、危急の事態を周囲の人々に迅速且つ確実に知らせることができる。
また、上記操作子７は、防犯ブザー３をケース本体１５に内装した際に、上記ケース本体１５の下部の開口部１５ｅから外部に露出した状態で吊下され、このように構成することにより、上記操作子６のみならず、該操作子７の操作によっても、防犯ブザーの警報音を発報させることができるので、危急時における咄嗟の行動でいずれか操作しやすい方の操作子６，７を操作することで、危急の事態を周囲の人々に迅速且つ確実に知らせることができる。
【００１５】
上記構成を有する防犯装置２は、身体にベルト１４により装着可能なホルスター形状を有するケース１０に防犯ブザー３を内装した構成とすることにより、当該防犯装置２を、該防犯ブザー３の操作子６，７の操作をより容易に且つ確実に行うことが可能な児童の手が容易に届く腰回り近辺で、且つ児童の身体に密着した状態で装着することができ、しかも、児童が煩わしさや違和感を感じることなく防犯ブザー３を携行し、操作することができる。
そのうえ、上記ホルスター形状のケース１０のケース本体１５における拳銃の引き金位置に上記操作子６の操作用孔１５ｄを設けるとともに、該操作用孔１５ｄの内側に収容した操作子６を拳銃の引き金に対応する形態としているので、該操作子６の上記操作用孔１５ｄの長手方向に沿う操作をより確実に行うことができ、延いては、防犯ブザー３による警報音の発報によって、危急の事態を周囲の人々に迅速且つ確実に知らせることができる。
【００１６】
なお、本考案の防犯装置２は、図３に示すように、上記防犯ブザー３の内部に、警報音を発報する防犯ブザーとしての機能部分３Ａと、道路５２に沿って敷設された電柱５１等の屋外構造物上に配置した防犯警報器５０を作動させるための警報信号を発信する発信器としての機能部分３Ｂとを備えるものとして、上記両機能部分３Ａ，３Ｂを単一のケーシング５内に一体的に内蔵させた構成とすることができ、この場合、図４に概念的に示すように、上記操作子６，７の操作によって、防犯ブザーの警報音を発報させるとともに、発信器から警報信号を発信して防犯警報器５０を作動させることができるので、危急の事態を周囲の人々により迅速且つ確実に知らせることができる。
ここで、上述の例では、防犯ブザーとしての機能部分３Ａと防犯警報器５０への警報信号の発信器としての機能部分３Ｂとを、単一のケーシング５内に一体的に内蔵した構成としているが、上記機能部分３Ａと機能部分３Ｂとをそれぞれ別々のケーシングに内蔵させることもできる。
【００１７】
上述した第１実施例では、ケース１０を男児向きの拳銃のホルスター形状としていたのに対し、図５は、上記防犯装置２のケース１０を、女児向けの携行用小物入れ形状とした第２実施例を示している。該ケース１０の主要部を構成するケース本体３５は、前記第１実施例のホルスター状のケース本体１５と同様に、防犯ブザー３を内装するように構成したものである。該ケース本体３５は、図示するように単純な提げ手３４を設けることもできるが、肩掛けベルト、あるいは腰に巻くベルトによって児童の身体に安定的に固定可能に構成することができる。
なお、防犯ブザー３自体の構成は前記第１実施例の場合と変わるところがないので、その構成及び作用についての説明は、特に必要がある場合を除き、第１実施例の場合と同一の符号を付してそれらの説明を省略する。
【００１８】
上記防犯ブザー３は、上記ケース本体３５の内面に付設したポケット３６内に該防犯ブザー３を収容することにより、該ケース本体３５内に固定的に内装されるようにしている。そして、該ポケット３６の下部には、上記操作子７を該ポケット３６から露出させるための孔３６ａが開設されている。したがって、防犯ブザー３をポケット３６内に収容しても、上記孔３６ａを介してケース本体３５の開口部３５ｅから操作子７が外部に露出し、操作可能になる。
【００１９】
上記ケース本体３５における防犯ブザー３の収容位置で、該防犯ブザー３の操作子６を外部から操作可能な位置、すなわち、当該ケース本体３５の外面側のほぼ中央には、外部から上記操作子６のトリガー部６ｂを操作するための操作用孔３５ｄを開設している。そして、該操作用孔３５ｄにおける上記トリガー部６ｂの操作方向の両側に沿って設けた一対のガイド部材３６ｂにより、該操作子６の上記操作用孔３５ｄの長手方向に沿う操作をガイドするように構成している。このガイド部材３６ｂと操作子６との関連的構成、及びそれらと上記操作用孔３５ｄとの関連的構成は、前記第１実施例の場合と実質的に同様である。それにより、上記防犯ブザー３をケース本体３５に内装した場合には、上記操作子６のトリガー部６ｂが操作用孔３５ｄ内においてガイド部材３６ｂによりガイドされるように構成している。
【００２０】
なお、上記防犯ブザー３を内装したケース本体３５は、該防犯ブザー３が収容された部分を除いて実際に小物入れとして使用することができ、小物入れとしての実用性を損なうことなく携行することができる。
【００２１】
ここで、この第２実施例のその他の構成及び作用は、実質的に前記第１実施例と同等であるから、それらの説明を省略する。
なお、本考案に係る防犯装置は、上述の各実施例に記載したホルスター形状や携行用小物入れ形状のケース本体に内装するものに限定されず、例えば、携帯電話用ケースや小型ゲーム機用ケースの形状として、実際に携帯電話や小型ゲーム機を収納した状態で、あるいはそれらに近似した機器を収容した状態で、防犯ブザーを内装可能な構成とすることもでき、すなわち、児童が防犯装置を携行することに煩わしさや違和感を感じることがない適宜の形態とすることができる。
【図面の簡単な説明】
【００２２】
【図１】本考案の第１実施例に係る防犯装置を示す正面図である。
【図２】同防犯装置におけるケースを開放した状態を示す正面図である。
【図３】防犯ブザーの構成を模式的に示す構成図である。
【図４】本考案の第１実施例に係る防犯装置に防犯警報器を作動させるための警報信号を発信する発信器としての機能部分を内蔵させた場合の概念的構成図である。
【図５】本考案の第２実施例に係る防犯装置におけるケースの構成を示す部分透過斜視図である。
【符号の説明】
【００２３】
２    防犯装置
３    防犯ブザー
３Ａ  機能部分（防犯ブザー）
３Ｂ  機能部分（発信器）
５    ケーシング
６，７    操作子
６ｂ  トリガー部
１０    ケース
１５ａ  ファスナー
１５ｂ  フラップ
１５ｄ，３５ｄ  操作用孔
１６    ポケット
１６ｂ，３６ｂ  ガイド部材
５０    防犯警報器
５２    道路
【図１】
0003127280.tif 000003
【図２】
0003127280.tif 000004
【図３】
0003127280.tif 000005
【図４】
0003127280.tif 000006
【図５】
0003127280.tif 000007
【手続補正書】
【提出日】平成18年9月22日(2006.9.22)
【手続補正１】
【補正対象書類名】実用新案登録請求の範囲
【補正対象項目名】全文
【補正方法】変更
【補正の内容】
【実用新案登録請求の範囲】
【請求項１】
少なくとも１つ以上の操作子を備え、該操作子の操作によって警報音を発報する防犯ブザーを、身体にベルト装着可能なホルスター形状を有するケースに内装し、該ホルスター形状のケースにおける拳銃の引き金位置に、上記操作子を外部から操作するための操作用孔を設けて、該操作子を該操作用孔の長手方向に沿って操作可能に構成するとともに、上記ケースにおける操作用孔の内側に収容した操作子を、拳銃の引き金に対応するところの手指をかけるトリガー部を有する形態とした、
ことを特徴とする防犯装置。
【請求項２】
上記ホルスター形状のケースを、一側をファスナーによって開閉自在とするとともに、その上部開口部を上方に延設したフラップにより開閉自在に構成した、
ことを特徴とする請求項１に記載の防犯装置。
【請求項３】
少なくとも１つ以上の操作子を備え、該操作子の操作によって警報音を発報する防犯ブザーを、携行用小物入れ形状を有するケースに内装し、該ケースの外面側における防犯ブザーの収容位置に、上記操作子を外部から操作するための操作用孔を設けて、該操作子を該操作用孔の長手方向に沿って操作可能に構成するとともに、上記ケースにおける操作用孔の内側に収容した操作子を、手指をかけるトリガー部を有する形態とした、
ことを特徴とする防犯装置。
【請求項４】
上記防犯ブザーを、ケースの内面に付設したポケット内に収容した、
ことを特徴とする請求項１乃至３のいずれかに記載の防犯装置。
【請求項５】
上記ケースにおける操作用孔の内側に収容した操作子を、該操作用孔における操作方向の両側に沿って設けた一対のガイド部材でガイドさせた、
ことを特徴とする請求項１乃至４のいずれかに記載の防犯装置。
【請求項６】
上記操作子のガイド部材を、断面略コ字状のレール状部材の開放部側を相対峙させることにより構成し、上記操作子の操作方向に沿う上記操作用孔の両側に配置されるように該操作用孔の内側に付設した、
ことを特徴とする請求項５に記載の防犯装置。
【請求項７】
上記防犯ブザーに、道路に沿って設置した防犯警報器を作動させるための警報信号を発信する発信器としての機能部分を付設した、
ことを特徴とする請求項１乃至６のいずれかに記載の防犯装置。